(57)【要約】【課題】データ入力時の押圧力が軽く、且つリニアリティが良好で操作性に優れたタッチパネルを提供する。【解決手段】長方形の形状をなす透明絶縁基板３１ａ、２１ａの片面に透明電極３１ｂ、２１ｂを設けた一対の上下基板３１、２１とを前記透明電極側３１ｂ、２１ｂを内側にしてシール剤８を介して対向配置してなり、前記各基板３１、２１が前記透明電極３１ｂ、２１ｂに接続し方形配置される引き回し配線３２、３３、２２、２３を有し且つ前記上基板３１の外側に偏光板１８を配置したタッチパネルにおいて、前記上基板３１の長辺側の二辺におけるシール剤８の内側近傍に沿って、前記上基板３１の引き回し配線３２の一部またはダミー配線を配置し、前記偏光板１８を含む上基板３１が外側に向かって膨らむ変形を小さくしたことを特徴とする。【選択図】　　　図１
2004145782.tif 000002
【特許請求の範囲】
【請求項１】
長方形の形状をなす透明絶縁基板の片面に透明電極を設けた一対の上下基板を前記透明電極側を内側にしてシール剤を介して対向配置してなり、前記各基板が前記透明電極に接続し方形配置される引き回し配線を有したタッチパネルにおいて、
前記上基板の長辺側の二辺におけるシール剤の内側近傍に沿って、前記上基板の引き回し配線の一部またはダミー配線を配置し、前記偏光板を含む上基板が外側に向かって膨らむ変形を小さくしたことを特徴とするタッチパネル。
【請求項２】
前記上基板の透明電極の短辺側の２辺に前記引き回し配線を接続し、一方の引き回し配線の両端を長辺側の二辺におけるシール剤の内側近傍に沿ってそれぞれ延長配置したことを特徴とする請求項１記載のタッチパネル。
【請求項３】
前記上基板の透明電極の短辺側の２辺に前記引き回し配線を接続し、一方の引き回し配線の一端を一方の長辺側の辺におけるシール剤の内側近傍に沿って延長配置し、他方の長辺側の辺におけるシール剤の内側近傍に沿ってダミー配線を配置したことを特徴とする請求項１記載のタッチパネル。
【請求項４】
前記上基板の透明電極の短辺側の２辺に前記引き回し配線を接続し、長辺側の２辺の内の少なくとも１辺におけるシール剤の内側近傍に沿ってそれぞれダミー配線を配置したことを特徴とする請求項１記載のタッチパネル。
【請求項５】
前記ダミー配線が前記下基板に配置されている引き回しの一部と重畳する位置に配置されていることを特徴とする請求項１、３，４のいずれか１項に記載のタッチパネル。
【請求項６】
前記上基板の透明電極の長辺側の２辺に前記引き回し配線を接続し、一方の長辺側の辺に接続されている引き回し配線の一端を他方の長辺側の辺におけるシール剤の内側近傍に沿って延長配置したことを特徴とする請求項１記載のタッチパネル。
【請求項７】
前記上基板の透明電極の長辺側の２辺に前記引き回し配線を接続し、一方の長辺側の辺におけるシール剤の内側近傍に沿ってダミー配線を配置したことを特徴とする請求項１記載のタッチパネル。
【請求項８】
前記上基板及び前記下基板を構成する透明絶縁基板は、いずれもガラス材からなることを特徴とする請求項１、２、３、４、６、７のいずれか１項に記載のタッチパネル。
【発明の詳細な説明】
【０００１】
【発明の属する技術分野】
本発明は、コンピュータ、各種端末機、自動販売機、ＡＴＭ等の機器において、液晶ディスプレイやブラウン管等の画面上に配置し、透視した画面の指示に従って使用者が情報の表示画面を指やペン等で直接押してデータの入カが行われるタッチパネルに関し、特に画像視認性の改善を図るための偏光板を備えたタッチパネルに関する。
【０００２】
【従来の技術】
従来技術におけるタッチパネルは、可撓性を有する透明絶縁基板とその下面に形成された透明電極とからなる上基板と、透明絶縁基板とその上面に形成された透明電極とからなる下基板とが、所定の空間を隔てて透明電極同士が対面するように配置されている。このタッチパネルにおいて、上基板の上部を入力ペンまたは指で押圧したとき、上基板が撓んでその押圧点において上基板の透明電極が下基板の透明電極と接触する。そして、その接触点の座標が電気抵抗の測定によって検知されて、入力情報が読取られる。
【０００３】
このようなタッチパネルが、液晶表示板と組み合わされて使用され、カーナビゲーショなど屋外で使用する装置に使用する場合に、外光の乱反射により液晶表示板の表示内容の視認性が低下するのを防止するために上基板の表面にフィルム状の偏光板を配置することによって防眩性を持たせたものが開示されている（例えば、特許文献１参照。）。
以下、従来例を図１０、図１１、図１２、図１３を用いて説明する。図１０は、従来技術におけるタッチパネルを示し、図１０（ａ）は平面図、図１０（ｂ）は、図１０（ａ）におけるＥ−Ｅ断面図、図１１は、下基板の平面図、図１２は上基板の平面図、図１３は、偏光板を示す斜視図である。
【０００４】
図１０、図１１、図１２に示すように、従来例におけるタッチパネル１０は、形状が長方形をなす下基板１と可撓性を有する上基板１１とを備えている。前記下基板１には板厚が１．１ｍｍの透明なガラスからなる透明絶縁基板１ａと、この透明絶縁基板１ａの上面に形成されている透明電極１ｂとが設けられている。又、前記透明電極１ｂ上には、ドットスペーサ６がマトリックス状に配置されている。更に、前記下基板１上にシール剤８を介して前記上基板１１が装着されており、この上基板１１には、板厚が０．２ｍｍの透明なマイクロガラスからなる透明絶縁基板１１ａと、この透明絶縁基板１１ａの下面に前記透明電極１ｂに対向する透明電極１１ｂとが設けられている。更に、上基板１１には、反射防止及び飛散防止機能を兼ね備えた偏光板１８が貼付けされており、また、それによる光透過率の減衰と画像視認性の改善を図るため、下基板１には、位相差板１９が貼付けされている。
【０００５】
又、前記各基板１、１１は前記透明電極１ｂ、１１ｂに接続する引き回し配線２、３、１２、１３を有し、各基板１、１１で前記引き回し配線２、３、１２、１３が方形配置となるように対向配置されている。更に、前記上基板１１の引き回し配線１２、１３の他端１４、１５と導電性接着剤で接続される独立の連絡電極４、５が対置側基板、即ち、下基板１に設けられている。又、前記引き回し配線２、３と前記連絡電極４、５の他端とはタッチパネルの一辺においてまとめられ、ＦＰＣ９と接続するためのＦＰＣ圧着用電極部７におけるＦＰＣ圧着用電極の端部と接続されている。
【０００６】
前記引き回し配線２、３、１２、１３、及び連絡電極４、５は、材料として銀、ニッケル等の金属或いはカーボンなどの導電性の粉末を樹脂バインダー中に分散させた導電性ペーストが使用されており、スクリーン印刷、オフセット印刷、などの印刷法、刷毛塗法などによって形成される。
【０００７】
また、前記シール剤８は、エポキシ樹脂接着剤やアクリル樹脂接着剤等が選択され、スクリーン印刷等の方法で、１〜２．５ｍｍの範囲の幅で形成される。このシール剤８には、所要の大きさのプラスチックボールやファイバーガラス等のスペーサ部材が分散されており、このスペーサ部材でもって下基板１１と上基板１を所要の間隔に保持する役目を成している。
【０００８】
また、前記導電性接着剤としては、たとえばエポキシ樹脂等の熱硬化性樹脂中に導電性金属粉末、或いはアルミナ、ガラスなどの無機絶縁粒の表面を金、ニッケルなどの導電層で被覆したものを含有させたものを用いることが出来る。
【０００９】
また、偏光板１８としては、様々なものが使用されているが一例をあげると、ポリビニールアルコールフィルムを常法により一軸延伸することによって厚さが２０μｍの偏光フィルムを作成し、この両面に厚さが８０μｍのセルロース系フィルムを張り合わせて厚さ１８０μｍの偏光板としたものがある。また、図１３に示すように前記偏光板１８における偏光軸１８ａと上基板１１の辺とのなす角度θは４５度に設定される場合が多い。
又、位相差板１９は、ポリカーボネイトを素材として形成され、厚さは８０μｍ程度である。
【００１０】
【特許文献１】
特開平１０−４８６２５号公報（第２、３頁、第２図）
【００１１】
【発明が解決しようとする課題】
しかしながら、上記従来技術のタッチパネルは、上基板１１に配置した偏光板１８が時間の経過と共に変形し、これに伴い偏光板１８を含む上基板１１が外側に向かって凸状に膨らむように変形する。この変形は、前記偏光板１８が延伸方向に内部応力を持っており　、これが時間の経過と共に解放されるためである。前記偏光板１８における偏光軸１８ａと上基板１１の辺とのなす角度θは前述したように４５度に設定される場合が多く、この場合、前記偏光板１８を含む上基板１１は、この偏光軸１８ａを中心として外側に向かって凸状に膨らむように変形する。この時、上基板１１の長辺側に最大の力が加えられることになり、長辺側のシール剤８の内側の部分に最大の力が加わることになる。このため偏光板１８を含む上基板１１は外側に向かって凸状に膨らむように変形する。
【００１２】
図１４は、この様に変形した偏光板１８を含む上基板１１を示し短辺と平行方向の断面を示す縦断面図である。図１４に示すように従来技術においては、上基板１１の短辺側に引き回し配線が配置されており、一方の長辺側には引き回し配線が配置されていない。このため、上基板の変形は更に大きくなり全体としてバランスの悪い変形形状となる。この結果、タッチパネルの見栄えが悪くなる上に下基板１との間隔が大きくなり、データ入力時の押圧力が増大し、且つリニアリティが崩れ操作性が悪くなるという問題があった。
【００１３】
（発明の目的）
本発明は、このような従来の課題を解決し、防眩性を確保するための偏光板を備えた上基板を使用する場合においても、上基板の変形を小さくし、見栄えを良くすると共にデータ入力時の押圧力が軽く、且つリニアリティが良好で操作性に優れたタッチパネルを提供することを目的とする。
【００１４】
【課題を解決するための手段】
前述した目的を達成するために、本発明のうちで請求項１に係わるタッチパネルは、長方形の形状をなす透明絶縁基板の片面に透明電極を設けた一対の上下基板を前記透明電極側を内側にしてシール剤を介して対向配置してなり、前記各基板が前記透明電極に接続し方形配置される引き回し配線を有したタッチパネルにおいて、前記上基板の長辺側の二辺におけるシール剤の内側近傍に沿って、前記上基板の引き回し配線の一部またはダミー配線を配置し、前記偏光板を含む上基板が外側に向かって膨らむ変形を小さくしたことを特徴とする。
【００１５】
又、請求項２の発明に係わるタッチパネルは、前記上基板の透明電極の短辺側の２辺に前記引き回し配線を接続し、一方の引き回し配線の両端を長辺側の二辺におけるシール剤の内側近傍に沿ってそれぞれ延長配置したことを特徴とする。
【００１６】
又、請求項３の発明に係わるタッチパネルは、前記上基板の透明電極の短辺側の２辺に前記引き回し配線を接続し、一方の引き回し配線の一端を一方の長辺側の辺におけるシール剤の内側近傍に沿って延長配置し、他方の長辺側の辺におけるシール剤の内側近傍に沿ってダミー配線を配置したことを特徴とする。
【００１７】
又、請求項４の発明に係わるタッチパネルは、前記上基板の透明電極の短辺側の２辺に前記引き回し配線を接続し、長辺側の２辺の内の少なくとも１辺におけるシール剤の内側近傍に沿ってそれぞれダミー配線を配置したことを特徴とする。
【００１８】
又、請求項５の発明に係わるタッチパネルは、請求項１、３、４のいずれか１項に記載のタッチパネルにおいて、前記ダミー配線が前記下基板に配置されている引き回しの一部と重畳する位置に配置されていることを特徴とする。
【００１９】
又、請求項６の発明に係わるタッチパネルは、前記上基板の透明電極の長辺側の２辺に前記引き回し配線を接続し、一方の長辺側の辺に接続されている引き回し配線の一端を他方の長辺側の辺におけるシール剤の内側近傍に沿って延長配置したことを特徴とする。
【００２０】
又、請求項７の発明に係わるタッチパネルは、前記上基板の透明電極の長辺側の２辺に前記引き回し配線を接続し、一方の長辺側の辺におけるシール剤の内側近傍に沿ってダミー配線を配置したことを特徴とする。
【００２１】
又、請求項８の発明に係わるタッチパネルは、前記上基板及び前記下基板を構成する透明絶縁基板が、いずれもガラス材からなることを特徴とする。
【００２２】
（作用）
本発明のタッチパネルは、上基板の長辺側の二辺における前記シール剤の内側近傍に引き回し配線、或いは、ダミー配線を配置することによって、この部分の厚さを増加させ上基板の剛性を大きくしてある。この結果、上基板のシール剤の内側近傍の曲げ強度が大きくなり偏光板を含む上基板が外側に向かって膨らむ変形を小さくすることが可能となる。以下、実施形態に基づいて詳細に説明する。
【００２３】
【発明の実施の形態】
（第１の実施形態）
図１、図２、図３、は本発明におけるタッチパネルの第１の実施形態を説明するための図である。図１は本実施形態におけるタッチパネルを示し、図１（ａ）は、タッチパネルの平面図、図１（ｂ）は、図１（ａ）におけるＡ−Ａ断面図である。図２は、上基板の平面図、図３は、他の例を示す上基板の平面図である。本実施形態におけるタッチパネルは、長方形の形状からなり、上基板の一方の引き回し配線の一端を長辺側に延長し、この延長部をシール剤の内側近傍に配置し上基板の変形を小さくしたことを特徴としており、その他は従来技術に類似している。尚、従来例と同一部分については同一番号を付与してその説明は省略する。以下、図１、図２、図３を用いて本実施形態におけるタッチパネルについて説明する。
【００２４】
図１に示すように、本実施形態におけるタッチパネル２０は、長方形をなす上基板３１と下基板２１とを、透明電極３１ｂ、２１ｂを内側にして、且つ上基板３１と下基板２１とで引き回し配線３２、３３、２２、２３が方形配置となるように絶縁性のシール剤８を介して対向配置されている。前記上基板３１の外側には偏光板１８が配置され、下基板２１の外側には、位相差板１９が配置されている。前記下基板２１の引き回し配線２２、２３は透明電極２１ｂの対向する長辺に接続され、前記上基板３１の引き回し配線３２、３３は透明電極３１ｂの対向する短辺に接続されている。又、前記引き回し配線３２の一端を上基板３１の一方の長辺と平行に延長し、前記下基板２１の引き回し配線２３の外側で且つシール剤８の内側近傍に延長部３２ａを形成している。、更に、前記上基板３１の引き回し配線３２の他端３４を上基板３１の他方の長辺と平行に前記シール剤８の内側近傍に延長配置している。この時、下基板２１の連絡電極２４、２５と上基板３１の引き回し配線３２、３３のそれぞれの他端３４、３５とは前記シール剤８の内側で、且つそれぞれの一部が重畳する位置に配置されており、導電性接着剤（図示せず）によって電気的に接続されている。又、前記引き回し配線２２、２３及び前記連絡電極２４、２５の他端は下基板２１の長辺側においてまとめられ、前記ＦＰＣ圧着用電極部７と接続されている。尚、連絡電極、ＦＰＣ圧着用電極部は、配置が少し異なるだけで、その他は従来例と同様である。
【００２５】
前記下基板２１は、図１に示すように長方形の形状をなす透明絶縁基板２１ａと、透明絶縁基板２１ａの片面に形成する透明電極２１ｂと、その対向する長辺に接続し、且つ透明電極２１ｂの外側の絶縁部分に配設される引き回し配線２２、２３とを有し、更に、透明電極２１ｂの外側の絶縁部分に配設される連絡電極２４、２５と、前記透明絶縁基板２１ａにおける一方の長辺側に配置されるＦＰＣ圧着用電極部７とを有している。前記ＦＰＣ圧着用電極部７は前記引き回し配線３３が配置されている側（図１における右側）の近傍に配置されている。また、前記連絡電極２４、２５は、前記引き回し配線２２、２３とは独立した状態で設けられている。又、前記引き回し配線２２、２３及び前記連絡電極２４、２５の他端は透明絶縁基板２１ａの長辺側においてまとめられ、前記ＦＰＣ圧着用電極部７と接続されている。尚、下基板２１の構成は、形状、配置が従来例と少し異なるだけで、その他は同様である。
【００２６】
前記上基板３１は、図１、図２に示すように透明絶縁基板３１ａと、透明絶縁基板３１ａの片面に形成する透明電極３１ｂと、その対向する辺に接続し、且つ透明電極３１ｂの外側における絶縁部分に配設される引き回し配線３２、３３とを有する。この引き回し配線３２、３３は、上基板３１の短辺と平行に配置されている。また、引き回し配線３２の一端は延長されシール剤８の内側の近傍で曲げられ、前記下基板２１の一方の長辺側に配置されている引き回し配線２３の外側でシール剤８の内側近傍に延長部３２ａが形成されている。前記延長部３２ａは、上基板３１の引き回し配線３３の近傍まで延長されている。また、前記引き回し配線３２の他端３４は延長されシール剤８の内側の近傍で曲げられ他方の長辺側のシール剤８の内側近傍を前記シール剤８に沿ってＦＰＣ圧着用電極部７の近傍まで延長されている。また、引き回し配線３３の他端３５は、延長され前記シール剤８の内側の近傍で曲げられＦＰＣ圧着用電極部７の近傍まで延長されている。この時、ＦＰＣ圧着用電極部７が前記引き回し配線３３が配置されている側（図１における右側）の端部の方に配置されていると前記引き回し配線３２の他端３４が長く延長されることになる。これにより他方の長辺側のシール剤８の内側近傍に配置される引き回し配線３２が長くなり、それだけ上基板３１の曲げ剛性が大きくなり好ましい。尚、上基板３１の構成は、形状、配置が従来例と少し異なるだけで、その他は同様である。
【００２７】
以上のように本実施形態におけるタッチパネル２０は、前記上基板３１の長辺側の二辺における前記シール剤８の内側近傍に引き回し配線３２の両端をそれぞれを延長配置することによって、上基板３１の長辺側におけるシール剤８の内側近傍での厚さを増加させ、この部分の曲げ剛性を大きくすることが出来る。これによって、前記偏光板を含む上基板３１が外側に向かって膨らむ変形を小さくすることが出来る。この結果、見栄えを良くすると共にデータ入力時の押圧力が軽く、且つリニアリティが良好で操作性に優れたタッチパネルを提供することが出来る。
【００２８】
尚、図３は、本実施形態ににおける他の例を示す上基板の平面図である。図３に示すように、上基板３０１には、図２における引き回し配線３２の延長部３２ａを上基板３１の端部で分断し、引き回し配線３０２と孤立したダミー配線３７とが形成されている。その他の構成は同様であり同じ効果を得ることが出来る。
【００２９】
（第２の実施形態）
図４、図５は本発明におけるタッチパネルの第２の実施形態を説明するための図である。図４は本実施形態のタッチパネルの構成を示し、図４（ａ）は、タッチパネルの平面図、図４（ｂ）は、図４（ａ）におけるＢ−Ｂ断面図である。図５は、上基板の平面図である。本実施形態におけるタッチパネルは、上基板の一方の長辺側に設けたダミー配線を下基板に配置されている引き回し配線の一部と重畳する位置に配置した点が第１実施形態と異なっており、その他は、第１の実施形態と同様である。従って、第１の実施形態と同様な構成要素については同一番号を付与してその説明は省略する。以下、図４、図５を用いて本実施形態におけるタッチパネルについて説明する。
【００３０】
図４、図５に示すように、本実施形態におけるタッチパネル２００は、下基板２１１の一方の長辺側の引き回し配線２３と重畳する位置に上基板２１１のダミー配線３１７が配置されている。このため、下基板２１１の透明絶縁基板２１１ａ及び上基板３１１の透明絶縁基板３１１ａの短辺方向の寸法を第１の実施形態より小さくすることが出来る。この結果、ＦＰＣ圧着用電極部７が配置されている辺に対向する長辺側の額縁の幅を第１の実施形態より小さくすることが出来、好ましい。尚、本実施形態においても第１の実施形態と同様の効果を得ることが出来る。
【００３１】
（第３の実施形態）
図６、図７は本発明におけるタッチパネルの第３の実施形態を説明するための図である。図６は本実施形態のタッチパネルの構成を示し、図６（ａ）は、タッチパネルの平面図、図６（ｂ）は、図６（ａ）におけるＣ−Ｃ断面図である。図７は、上基板の平面図である。本実施形態におけるタッチパネルは、上基板の引き回し配線を長辺側に配置し、下基板の引き回し配線を短辺側に配置した点が従来例と異なっており、その他は従来例と類似している。従って、従来例と同様な構成要素については同一番号を付与してその説明は省略する。以下、図６、図７を用いて本実施形態におけるタッチパネルについて説明する。
【００３２】
図６に示すように、タッチパネル３０は、長方形をなす上基板５１と下基板４１とを、透明電極１１ｂ、１ｂを内側にして、且つ上基板５１と下基板４１とで引き回し配線５２、５３、４２、４３が方形配置となるように絶縁性のシール剤８を介して対向配置されている。前記上基板５１の外側には偏光板１８が配置され、下基板４１の外側には、位相差板１９が配置されている。前記下基板４１の引き回し配線４２、４３は透明電極１ｂの対向する短辺に接続され、前記上基板５１の引き回し配線５２、５３は透明電極１１ｂの対向する長辺に接続されている。さらに前記上基板５１の引き回し配線５３は一方の長辺側のシール剤８の内側近傍に配置されている。又、前記下基板４１の連絡電極４４、４５と上基板５１の引き回し配線５２、５３のそれぞれの他端５４、５５とは前記シール剤８の内側で、且つそれぞれの一部が重畳する位置に配置されており、導電性接着剤（図示せず）によって電気的に接続されている。又、前記引き回し配線４２、４３及び前記連絡電極４４、４５の他端は、下基板４１の長辺側において引き回し配線４２が配置されている側（図６における左側）の近傍においてまとめられ、前記ＦＰＣ圧着用電極部７と接続されている。尚、連絡電極４４、４５、ＦＰＣ圧着用電極部７は配置が少し異なるだけで、その他は従来例と同様である。
【００３３】
図６に示すように下基板４１は長方形の形状をなす透明絶縁基板１ａと、透明絶縁基板１ａの片面に形成する透明電極１ｂと、その対向する短辺に接続し、且つ透明電極１ｂの外側の絶縁部分に配設される引き回し配線４２、４３とを有し、更に、透明電極１ｂの外側の絶縁部分に配設される連絡電極４４、４５と、前記透明絶縁基板１ａにおける一方の長辺側に配置されるＦＰＣ圧着用電極部７とを有している。前記ＦＰＣ圧着用電極部７は引き回し配線４２が配置されている側（図６における左側）の近傍に配置されている。また、前記連絡電極４４、４５は、前記引き回し配線４２、４３とは独立した状態で設けられている。又、前記引き回し配線４２、４３及び前記連絡電極４４、４５の他端は透明絶縁基板１ａの前記長辺側でまとめられ、前記ＦＰＣ圧着用電極部７と接続されている。尚、下基板４１は、引き回し配線４２、４３、連絡電極４４、４５、ＦＰＣ圧着用電極部７の配置が従来例と異なるだけで、その他は同様である。
【００３４】
前記上基板５１は、図６、図７に示すように透明絶縁基板１１ａと、透明絶縁基板１１ａの片面に形成する透明電極１１ｂと、その対向する長辺に接続し、且つ透明電極１１ｂの外側における絶縁部分に配設される引き回し配線５２、５３とを有する。この時、引き回し配線５２、５３は、上基板５１の長辺と平行に配置されている。また、一方の長辺側に配置されている引き回し配線５３の他端５５は短辺側のシール剤８の内側の近傍で曲げられ、前記下基板４１の一方の短辺側に配置されている引き回し配線４３の外側で且つシール剤８の内側近傍に沿って延長され、他方の長辺側のシール剤８の内側近傍で再び曲げられ他方の長辺側のシール剤８の内側近傍を前記シール剤８に沿ってＦＰＣ圧着用電極部７の近傍まで延長されている。また、引き回し配線５２の他端は、延長され前記シール剤８の内側の近傍で曲げられＦＰＣ圧着用電極部７の近傍まで延長されている。この時、ＦＰＣ圧着用電極部７が前記下基板４１の引き回し配線４２が配置されている側（図６における左側）の近傍に配置されていると前記引き回し配線５３の他端５５が長く延長されることになる。これにより他方の長辺側のシール剤８の内側近傍に配置される引き回し配線５３が長くなり、それだけ、上基板５１の曲げ剛性が大きくなり好ましい。尚、上基板３１の構成は、引き回し配線５２、５３の配置が従来例と異なるだけで、その他は同様である。
【００３５】
以上のように本実施形態におけるタッチパネル３０は、前記上基板５１の長辺側の二辺における前記シール剤８の内側近傍に引き回し配線５３を延長配置することによって、上基板５１の長辺側におけるシール剤８の内側近傍での厚さを増加させ、この部分の曲げ剛性を大きくすることが出来る。これによって、前記偏光板を含む上基板５１が外側に向かって膨らむ変形を小さくすることが出来る。この結果、第１の実施形態と同様の効果を得ることが出来る。
【００３６】
（第４の実施形態）
図８は本発明におけるタッチパネルの第４の実施形態を説明するための図である。図８は本実施形態のタッチパネルの構成を示し、図８（ａ）は、タッチパネルの平面図、図８（ｂ）は、図８（ａ）におけるＤ−Ｄ断面図である。本実施形態におけるタッチパネルは、ＦＰＣ圧着用電極部７を下基板の長辺側の中央付近に配置し、ＦＰＣ圧着用電極部７が配置されている長辺側のシール剤８の内側近傍にダミー配線を設けた点が第３の実施形態と異なる点であり、その他の点は同様である。従って、第３の実施形態と同様な構成要素については同一番号を付与してその説明は省略する。以下、図８を用いて本実施形態におけるタッチパネルについて説明する。
【００３７】
図８に示すように、本実施形態におけるタッチパネル４０は、長方形をなす上基板７１と下基板６１とを、透明電極１１ｂ、１ｂを内側にして、且つ上基板７１と下基板６１とで引き回し配線７２、７３、６２、６３が方形配置となるように絶縁性のシール剤８を介して対向配置されている。前記上基板７１の外側には偏光板１８が配置され、下基板６１の外側には、位相差板１９が配置されている。前記下基板６１の引き回し配線６２、６３は透明電極１ｂの対向する短辺に接続され、前記上基板７１の引き回し配線７２、７３は透明電極１１ｂの対向する長辺に接続されている。又、前記下基板６１の連絡電極６４、６５と上基板７１の引き回し配線７２、７３のそれぞれの他端７４、７５とは前記シール剤８の内側で、且つそれぞれの一部が重畳する位置に配置されており、導電性接着剤（図示せず）によって電気的に接続されている。又、前記引き回し配線６２、６３及び前記連絡電極６４、６５の他端は、下基板６１の一方の長辺側の中央付近においてまとめられ、前記ＦＰＣ圧着用電極部７と接続されている。さらに、上基板７１の一方の長辺側で、前記下基板の引き回し配線６２の外側で且つシール剤８の内側近傍にはダミー配線７６が配置されている。尚、連絡電極６４、６５、ＦＰＣ圧着用電極部７は配置が異なるだけで、その他は第３の実施形態と同様である。
【００３８】
以上のように本実施形態のタッチパネル４０によれば、前記上基板７１の引き回し配線７２、７３が透明電極１１ｂの対向する長辺に接続されており、ＦＰＣ圧着用電極部７を下基板の長辺の中央付近、或いは、図８の長辺の右側付近に配置する場合においても、上基板７１における一方の長辺側のシール剤８の内側近傍に引き回し配線７３を配置し、他方の長辺側のシール剤８の内側近傍に引き回し配線７３の延長部とダミー配線７６とを配置することによって、上基板７１の長辺側におけるシール剤８の内側近傍での厚さを増加させ、この部分の曲げ剛性を大きくすることが出来る。従って、前記偏光板１８を含む上基板７１が外側に向かって膨らむ変形を小さくすることが出来る。この結果、第３の実施形態と同様の効果を得ることが出来る。
【００３９】
（第５の実施形態）
図９は本発明におけるタッチパネルの第５の実施形態を説明するための図である。図９は本実施形態のタッチパネルの構成を示し、図９（ａ）は、タッチパネルの平面図、図９（ｂ）は、図９（ａ）におけるＦ−Ｆ断面図である。本実施形態におけるタッチパネルは、ＦＰＣ圧着用電極部７を下基板の長辺側の中央付近に配置し、ＦＰＣ圧着用電極部７が配置されている長辺側のシール剤８の内側近傍にダミー配線を設けた点が第１の実施形態と異なる点であり、その他の点は同様である。従って、第１の実施形態と同様な構成要素については同一番号を付与してその説明は省略する。以下、図９を用いて本実施形態におけるタッチパネルについて説明する。
【００４０】
図９に示すように、本実施形態におけるタッチパネル５０は、長方形をなす上基板９１と下基板８１とを、透明電極３１ｂ、２１ｂを内側にして、且つ上基板９１と下基板８１とで引き回し配線９２、９３、８２、８３が方形配置となるように絶縁性のシール剤８を介して対向配置されている。前記上基板９１の外側には偏光板１８が配置され、下基板８１の外側には、位相差板１９が配置されている。前記下基板８１の引き回し配線８２、８３は透明電極２１ｂの対向する長辺に接続され、前記上基板９１の引き回し配線９２、９３は透明電極３１ｂの対向する短辺に接続されている。又、前記下基板８１の連絡電極８４、８５と上基板９１の引き回し配線９２、９３のそれぞれの他端９４、９５とは前記シール剤８の内側で、且つそれぞれの一部が重畳する位置に配置されており、導電性接着剤（図示せず）によって電気的に接続されている。又、前記引き回し配線８２、８３及び前記連絡電極８４、８５の他端は、下基板８１の一方の長辺側の中央付近においてまとめられ、前記ＦＰＣ圧着用電極部７と接続されている。さらに、上基板９１の一方の長辺側で、前記下基板の引き回し配線８３と重畳する位置で且つシール剤８の内側近傍には、ダミー配線９６が配置されている。尚、連絡電極８４、８５、ＦＰＣ圧着用電極部７は配置が異なるだけで、その他は第１の実施形態と同様である。
【００４１】
以上のように本実施形態のタッチパネル５０によれば、前記上基板９１の引き回し配線９２、９３が透明電極３１ｂの対向する短辺に接続されており、ＦＰＣ圧着用電極部７を下基板の長辺の中央付近、或いは、図９の長辺の左側付近に配置する場合においても、上基板９１における一方の長辺側のシール剤８の内側近傍に引き回し配線９３を配置し、他方の長辺側のシール剤８の内側近傍には引き回し配線９３の延長部とダミー配線９６とを前記ＦＰＣ圧着用電極部７を挟んで配置することによって、上基板９１の長辺側におけるシール剤８の内側近傍での厚さを増加させ、この部分の曲げ剛性を大きくすることが出来る。従って、前記偏光板１８を含む上基板９１が外側に向かって膨らむ変形を小さくすることが出来る。この結果、第１の実施形態と同様の効果を得ることが出来る。なお、本実施形態においては前記ダミー配線９６を下基板８１の引き回し配線８３と重畳する位置に配置する例で説明したが、引き回し配線８３の外側で且つシール剤８の内側近傍に配置しても同様の効果が得られる。但し、重畳する位置に配置した方が小型化の点で好ましい。
【００４２】
尚、第２の実施形態におけるタッチパネルの例で、ＦＰＣ圧着用電極部を下基板の長辺の中央付近、或いは、図４の長辺の左側付近に配置する場合においても引き回し配線の延長部とダミー配線とを前記ＦＰＣ圧着用電極部７を挟んで配置することが可能であり、本実施形態と同様の効果を得ることが出来る。
【００４３】
又、各実施形態においては透明絶縁基板の材質としてガラス板を例して説明したが、この他にポリカーボネート等の透明樹脂板を使用した場合においても、同様の効果を得ることができる。但し、ガラス板を用いたタッチパネルの方がより大きい効果を期待できるので好ましい。
【００４４】
【発明の効果】
以上、本発明のタッチパネルによれば上基板の長辺側の二辺における前記シール剤の内側近傍に引き回し配線、或いは、ダミー配線を配置することによって、上基板のシール剤の内側近傍の厚さを増加させることが出来る。これによって上基板のシール剤の内側近傍の曲げ剛性が大きくなり偏光板を含む上基板が外側に向かって膨らむ変形を小さくすることができる。この結果、見栄えが良くなると共にデータ入力時の押圧力が軽く、且つリニアリティが良好で操作性に優れたタッチパネルを提供することが出来る。
【図面の簡単な説明】
【図１】本発明の第１の実施形態におけるタッチパネルを示し、図１（ａ）は、タッチパネルの平面図、図１（ｂ）は、図１（ａ）におけるＡ−Ａ断面図である。
【図２】本発明の第１の実施形態における上基板を示す平面図である。
【図３】本発明の第１の実施形態における上基板の他の例を示す平面図である。
【図４】本発明の第２の実施形態におけるタッチパネルを示し、図４（ａ）は、タッチパネルの平面図、図４（ｂ）は、図４（ａ）におけるＢ−Ｂ断面図である。
【図５】本発明の第２の実施形態における上基板を示す平面図である。
【図６】本発明の第３の実施形態におけるタッチパネルを示し、図６（ａ）は、タッチパネルの平面図、図６（ｂ）は、図６（ａ）におけるＣ−Ｃ断面図である。
【図７】本発明の第３の実施形態における上基板を示す平面図である。
【図８】本発明の第４の実施形態におけるタッチパネルを示し、図８（ａ）は、タッチパネルの平面図、図８（ｂ）は、図８（ａ）におけるＤ−Ｄ断面図である。
【図９】本発明の第５の実施形態におけるタッチパネルを示し、図９（ａ）は、タッチパネルの平面図、図９（ｂ）は、図９（ａ）におけるＦ−Ｆ断面図である。
【図１０】従来例におけるタッチパネルを示し、図１０（ａ）は、タッチパネルの平面図、図１０（ｂ）は、図１０（ａ）におけるＥ−Ｅ断面図である。
【図１１】従来例における下基板を示す平面図である。
【図１２】従来例における上基板を示す平面図である。
【図１３】偏光板を示す斜視図である。
【図１４】従来例の上基板が変形した状態を示すタッチパネルの断面図である。
【符号の説明】
１　、２１、４１、６１、８１、２１１　　下基板
１ａ、２１ａ、２１１ａ　下基板の透明絶縁基板
１ｂ、２１ｂ　下基板の透明電極
２、３、２２、２３、４２、４３、６２、６３、８２、８３　下基板の引き回し配線
４、５、２４、２５、４４、４５、６４、６５、８４、８５　連絡電極
６　ドットスペーサ
７　ＦＰＣ圧着電極部
８　シール剤
９　ＦＰＣ
１０、２０、３０、４０、５０、２００　タッチパネル
１１、３１、５１、７１、９１、３０１、３１１　上基板
１１ａ、３１ａ、５１ａ、３１１ａ　上基板の透明絶縁基板
１１ｂ、３１ｂ　上基板の透明電極
１２、１３、　上基板の引き回し配線
１４、１５　上基板の引き回し配線の他端
１８　偏光板
１９　位相差板
３２、３３、５２、５３、７２、７３、９２、９３　３０２　上基板の引き回し配線
３２ａ　引き回し配線の延長部
３４、３５、５４、５５、７４、７５、９４、９５　引き回し配線の他端
３７、７６、３１７　ダミー配線
【図１】
2004145782.tif 000003
【図２】
2004145782.tif 000004
【図３】
2004145782.tif 000005
【図４】
2004145782.tif 000006
【図５】
2004145782.tif 000007
【図６】
2004145782.tif 000008
【図７】
2004145782.tif 000009
【図８】
2004145782.tif 000010
【図９】
2004145782.tif 000011
【図１０】
2004145782.tif 000012
【図１１】
2004145782.tif 000013
【図１２】
2004145782.tif 000014
【図１３】
2004145782.tif 000015
【図１４】
2004145782.tif 000016